(57)【特許請求の範囲】
【請求項１】
鍵盤部が配設される底板部を有する第１筐体と、少なくとも前記鍵盤部の後方の領域を上方から覆う第２筐体とから楽器筐体が構成される電子鍵盤楽器であって、
音響を発生させる音響発生体と、
前記第１筐体の前記底板部が固着される第１筐体固着部、前記第２筐体が固着される第２筐体固着部、及び、前記音響発生体が取り付けられる音響発生体取り付け部を有し、振動伝達部材で構成された固着用基幹部材と、を有し、
前記第１筐体、前記第２筐体が、それぞれ前記第１筐体固着部、前記第２筐体固着部に固着されることで、前記第１筐体と前記第２筐体との上下方向の位置が規制されて前記楽器筐体が構成されると共に、前記固着用基幹部材の前記音響発生体取り付け部に取り付けられた前記音響発生体から発した音響が、前記固着用基幹部材を介して前記第１筐体及び前記第２筐体に伝わるように構成され、
前記音響発生体には、響板と該響板を振動させる加振器とが含まれ、前記音響発生体取り付け部には、前記楽器筐体の左端部、右端部にそれぞれ対応する左側取り付け部、右側取り付け部が含まれ、前記響板は、前記左側取り付け部と前記右側取り付け部とに懸架され、前記響板の左右方向中間位置に、前記加振器が配設されたことを特徴とする電子鍵盤楽器。
【請求項２】
前記固着用基幹部材には、それぞれ前方に延設された左右２つの腕部が設けられ、該２つ腕部の各前端部に、前記左側取り付け部、前記右側取り付け部が設けられていることを特徴とする請求項１記載の電子鍵盤楽器。
【請求項３】
前記２つ腕部の前記各前端部には、それぞれ、先細形状の取り付け片が形成され、これら取り付け片の先端が、前記左側取り付け部、前記右側取り付け部となっていることを特徴とする請求項２記載の電子鍵盤楽器。
【請求項４】
前記響板は左右方向に長尺の板状であり、
前記響板は鉛直方向に平行とならず、前後方向に傾倒させたことを特徴とする請求項２または３記載の電子鍵盤楽器。
【請求項５】
前記音響発生体には、スピーカが含まれることを特徴とする請求項１〜４のいずれか１項に記載の電子鍵盤楽器。
【発明の詳細な説明】
【技術分野】
【０００１】
本発明は、底板部を有する第１筐体と鍵盤部の後方の領域を上方から覆う第２筐体とから楽器筐体が構成される電子鍵盤楽器に関する。
【背景技術】
【０００２】
従来、電子鍵盤楽器において、上側筐体と下側筐体とを組み付けて楽器筐体が構成されるものが広く知られている。例えば、下記特許文献１の楽器では、上側筐体と下側筐体の側部同士や背部同士を固着結合して楽器筐体が構成される。また、音響を発生させるスピーカが、上側筐体に配設される。
【先行技術文献】
【特許文献】
【０００３】
【特許文献１】特許４１６２０３１号公報
【発明の概要】
【発明が解決しようとする課題】
【０００４】
しかしながら、上記特許文献１の楽器では、上側筐体と下側筐体とは、主に周縁部で連結されているため、音響伝達の観点からみると、スピーカと、下側筐体の底板部との間は、強固な連結状態ではない。そのため、床面等の載置面に載置して演奏する場合において、音響効果の点で改善の余地があった。
【０００５】
また、上側筐体には、スピーカを取り付けるための取り付け部を専用に設ける必要があり、スピーカ等の音響発生体の組み付けを含めた筐体構造を簡単にする観点からも改善の余地があった。
【０００６】
本発明は上記従来技術の問題を解決するためになされたものであり、その目的は、組み付け構造が簡単で音響効果が高い筐体構造を実現することができる電子鍵盤楽器を提供することにある。
【課題を解決するための手段】
【０００７】
上記目的を達成するために本発明の請求項１の電子鍵盤楽器は、鍵盤部（ＫＢ）が配設される底板部（１１）を有する第１筐体（ＣＳ１）と、少なくとも前記鍵盤部の後方の領域を上方から覆う第２筐体（ＣＳ２）とから楽器筐体が構成される電子鍵盤楽器であって、音響を発生させる音響発生体（１６、９０）と、前記第１筐体の前記底板部が固着される第１筐体固着部（５４、６４）、前記第２筐体が固着される第２筐体固着部（５６、６６、５５、６５）、及び、前記音響発生体が取り付けられる音響発生体取り付け部（５６、６６、５９ａ、６９ａ）を有し、振動伝達部材で構成された固着用基幹部材（５０、６０）と、を有し、前記第１筐体、前記第２筐体が、それぞれ前記第１筐体固着部、前記第２筐体固着部に固着されることで、前記第１筐体と前記第２筐体との上下方向の位置が規制されて前記楽器筐体が構成されると共に、前記固着用基幹部材の前記音響発生体取り付け部に取り付けられた前記音響発生体から発した音響が、前記固着用基幹部材を介して前記第１筐体及び前記第２筐体に伝わるように構成され、前記音響発生体には、響板と該響板を振動させる加振器とが含まれ、前記音響発生体取り付け部には、前記楽器筐体の左端部、右端部にそれぞれ対応する左側取り付け部、右側取り付け部が含まれ、前記響板は、前記左側取り付け部と前記右側取り付け部とに懸架され、前記響板の左右方向中間位置に、前記加振器が配設されたことを特徴とする。
【０００９】
好ましくは、前記固着用基幹部材には、それぞれ前方に延設された左右２つの腕部（５２、６２）が設けられ、該２つ腕部の各前端部（５２ａ、６２ａ）に、前記左側取り付け部、前記右側取り付け部が設けられている（請求項２）。
【００１０】
好ましくは、前記２つ腕部の前記各前端部には、それぞれ、先細形状の取り付け片（５９、６９）が形成され、これら取り付け片の先端が、前記左側取り付け部、前記右側取り付け部となっている（請求項３）。
【００１１】
好ましくは、前記響板は左右方向に長尺の板状であり、前記響板は鉛直方向に平行とならず、前後方向に傾倒させる（請求項４）。
【００１２】
好ましくは、前記音響発生体には、スピーカ（１６）が含まれる（請求項５）。
【００１３】
なお、上記括弧内の符号は例示である。
【発明の効果】
【００１４】
本発明の請求項１によれば、組み付け構造が簡単で音響効果が高い筐体構造を実現することができる。
【００１６】
請求項２によれば、腕部先端で響板を支持することで主に微振動に関し響板を振動しやすくして、音響効果をより高めることができる。
【００１７】
請求項３によれば、先細形状の取り付け片の先端で響板を支持することで主に微振動に関し響板を振動しやすくして、音響効果をより高めることができる。
【００１８】
請求項４によれば、響板からの前方への直接放音と楽器筐体を介しての放音とを効率的に両立させることができる。
【図面の簡単な説明】
【００１９】
【図１】本発明の一実施の形態に係る電子鍵盤楽器の外観斜視図である。
【図２】下ケースと上ケースとを固定関係にするための固着機構のうち基幹部材を示す斜視図である。
【図３】上記固着機構のうち中間連結部材を示す斜視図である。
【図４】屋根板の前端部近傍の拡大断面図（図（ａ））、響板を前後方向に傾倒（後傾）させた変形例に係る電子鍵盤楽器の屋根板の前端部近傍の拡大断面図（図（ｂ））である。
【発明を実施するための形態】
【００２０】
以下、本発明の実施の形態を図面を参照して説明する。
【００２１】
図１は、本発明の一実施の形態に係る電子鍵盤楽器の外観斜視図である。この電子鍵盤楽器１０の楽器筐体は、下ケースＣＳ１と上ケースＣＳ２とから構成される。上ケースＣＳ２には、左右側部に側板１５が設けられ、鍵盤部ＫＢの後方において屋根板１２が設けられる。屋根板１２の上面は操作パネルとして機能し、各種操作子が配設されるほか、左右両端には放音部１４が設けられる。以降、本電子鍵盤楽器１０の奏者側（鍵盤部ＫＢの鍵の先端方向）を「前方」と呼称し、左右方向については、奏者からみた方向で呼称する。
【００２２】
電子鍵盤楽器１０の制御回路構成については図示せず、詳述もしないが、鍵盤部ＫＢの押鍵操作に基づいて楽音制御を行う楽音制御部を備える。この楽音制御部は、不図示の記憶部に記憶された、または外部から供給される演奏データに基づく楽音制御も行える。この楽音制御部によって、後述するスピーカ１６、加振器９１が動作し、楽音が発生する。
【００２３】
図２は、下ケースＣＳ１と上ケースＣＳ２とを固定関係にするための固着機構のうち基幹部材を示す斜視図である。図３は、上記固着機構のうち中間連結部材を示す斜視図である。図２、図３はいずれも、固着機構を右斜め後方上方から見た図に相当する。
【００２４】
この固着機構には、左右一対の基幹部材５０、６０（図２）と１つの中間連結部材３０（図３）とが含まれる。基幹部材５０、６０は、それぞれ、電子鍵盤楽器１０の右端部、左端部に配置され、中間連結部材３０は基幹部材５０、６０間に位置して両者を固定状態に連結する。これら基幹部材５０、６０、中間連結部材３０はいずれも、振動を伝達しやすい素材（振動伝達部材）で各々一体に形成され、本実施の形態では金属（板金）が採用される。
【００２５】
下ケースＣＳ１の底部の全面は底板部１１（図２参照）となっていて、この底板部１１に、鍵フレームＫＦ（図４参照）を介して鍵盤部ＫＢが配設される。鍵盤部ＫＢは、所定の鍵数毎に鍵ユニットＫＵ（図４参照）として構成される。上ケースＣＳ２は、上記した屋根板１２の後部と側板１５の後部とに連接する背面板部１８を有する。背面板部１８は、屋根板１２の後部から垂下して設けられる。この固着機構には、上ケースＣＳ２の屋根板１２及び背面板部１８が固着されると共に、下ケースＣＳ１の底板部１１が固着されて、これにより、上ケースＣＳ２と下ケースＣＳ１とが固定状態となって楽器筐体が構成される。
【００２６】
また、詳細は後述するが、図２に示すように、基幹部材５０、６０には、スピーカ固着部５６、６６を介して音響発生体としてのスピーカ１６、１６が配設されるほか、もう１種類の音響発生体である響板式音響発生体９０が、響板取り付け片５９、６９を介して配設される。響板式音響発生体９０は、長尺の平板状の響板９２に加振器９１が取り付けられて構成される。
【００２７】
基幹部材５０、６０の構成について説明する。基幹部材５０、６０は左右対称であるので、主として基幹部材５０について、図２を参照して説明する。基幹部材５０は、鉛直板部５１を有し、鉛直板部５１から、上側延設部５２、下側延設部５３が前方に片持ち状態に延設形成されている。また、鉛直板部５１から、上側側方延設部７３、下側側方延設部７１が左方に片持ち状態に延設されている。これらにより、スピーカ固着部５６を除けば、基幹部材５０は側面視及び背面視において略コ字状を呈する。また、平面視においては、スピーカ固着部５６を除けば、上側延設部５２及び上側側方延設部７３がＬ字状を呈する。
【００２８】
上側側方延設部７３の先端部には、ネジ穴７３ａ、７３ｂが設けられている。下側側方延設部７１の先端部には、ネジ穴７１ａ、７１ｂが設けられている。鉛直板部５１の後縁には、右方に屈曲形成された取付片５５が一体に２つ設けられ、各取付片５５にはネジ穴５５ａが形成される。取付片５５の後面５５ｂは上下及び左右方向に平行である。
【００２９】
鉛直板部５１の下部には、右方に屈曲形成された固定用片５４が一体に形成される。固定用片５４には、固定用ネジ穴５４ａが２つ形成される。これら、固定用片５４、取付片５５、５６等は、例えば、プレス切断及びプレス加工により折曲形成される。
【００３０】
上側延設部５２の上部には、右方に屈曲形成されたスピーカ固着部５６が一体に形成される。スピーカ固着部５６は、四角の枠状に形成され、上面が水平となっている。スピーカ固着部５６には、四角の大穴５６ａの外側において、スピーカ１６を固着するためのネジ穴５７と、屋根板１２を固着するためのネジ穴５８が、それぞれ複数（例えば、４個ずつ）形成されている。
【００３１】
上側延設部５２の前端部５２ａには、響板取り付け片５９が切り起こしにより一体に形成されている。響板取り付け片５９は、左方に延び、上下及び左右方向に平行であり、正面視で先細形状の三角形に近い台形である。なお、音響発生効率の観点からは響板取り付け片５９は先細形状であればよく、三角形や台形でなくてもよい。響板取り付け片５９の先端５９ａには、締結用穴５９ｂが形成されている。
【００３２】
基幹部材６０の構成は基幹部材５０と左右対称である。基幹部材５０における、鉛直板部５１、上側延設部５２、前端部５２ａ、下側延設部５３、固定用片５４、固定用ネジ穴５４ａ、取付片５５、ネジ穴５５ａ、後面５５ｂ、スピーカ固着部５６、大穴５６ａ、ネジ穴５７、５８、響板取り付け片５９、先端５９ａ、ネジ穴５９ｂ、上側側方延設部７３、下側側方延設部７１、ネジ穴７３ａ、７３ｂ、ネジ穴７１ａ、７１ｂに、基幹部材６０における、鉛直板部６１、上側延設部６２、前端部６２ａ、下側延設部６３、固定用片６４、固定用片６４に設けられた不図示の固定用ネジ穴、取付片６５、ネジ穴６５ａ、後面６５ｂ、スピーカ固着部６６、大穴６６ａ、ネジ穴６７、６８、響板取り付け片６９、先端６９ａ、締結用穴６９ｂ、上側側方延設部８３、下側側方延設部８１、ネジ穴８３ａ、８３ｂ、ネジ穴８１ａ、８１ｂが相当する。
【００３３】
次に、図３を参照して中間連結部材３０を説明する。中間連結部材３０は、概略の形状としては、並列配置された２枚の板状部３０ａ、４０ａを２つのブリッジ２０、２２で一体に連結した形状を呈している。板状部３０ａ、４０ａの板状の部分は前後及び上下方向に平行で、板状部３０ａが右側となるように底板部１１に配設される。
【００３４】
板状部３０ａは、鉛直板部３１と上側延設部３２と下側延設部３３とを有し、側面視コ字状に形成される。上側延設部３２の上縁には、右方に屈曲形成された取付片３６が一体に設けられ、取付片３６には複数のネジ穴３８が形成される。
【００３５】
鉛直板部３１の後縁には、右方に屈曲形成された取付片３５が一体に上下に２つ設けられ、各取付片３５にはネジ穴３５ａ、３５ｃが形成される。取付片３５の後面３５ｂは上下及び左右方向に平行である。鉛直板部３１の下部には、右方に屈曲形成された固定用片３４が一体に形成される。固定用片３４には、固定用ネジ穴３４ａが２つ形成される。
【００３６】
これら、固定用片３４、取付片３５、３６等は、例えば、プレス切断及びプレス加工により折曲形成される。中間連結部材３０が樹脂で構成される場合は、各部は金型によって一体に成形される。
【００３７】
板状部４０ａは板状部３０ａと左右対称であって基本的構成は同様である。板状部３０ａにおける、鉛直板部３１、上側延設部３２、下側延設部３３、取付片３６、ネジ穴３８、取付片３５、ネジ穴３５ａ、３５ｃ、後面３５ｂ、固定用片３４、固定用ネジ穴３４ａに、板状部４０ａにおける、鉛直板部４１、上側延設部４２、下側延設部４３、取付片４６、ネジ穴４８、取付片４５、ネジ穴４５ａ、４５ｃ、後面４５ｂ、固定用片４４、固定用片４４に設けられた不図示の固定用ネジ穴が相当する。
【００３８】
板状部３０ａ、４０ａの間隔は問わないが、ブリッジ２０、２２は、２つの取付片３５、４５の上方位置で板状部３０ａと板状部４０ａとを連結している。ブリッジ２０、２２の上方には、延設部２１、２３がブリッジ２０、２２と平行に延設されている。延設部２１、２３は、板状部３０ａと板状部４０ａの双方から互いに対向する方向に延設され、片持ち状態で左右方向中間位置まで延びている。延設部２１、２３の各先端には、ネジ穴２１ａ、２３ａが形成されている。
【００３９】
なお、延設部２１、２３、７１、７３、８１、８３は、背面板部１８への固定用片として用いてもよいし、電気部品の保持部や、電気部品同士の電気接続線の保持部として利用してもよい。さらに、延設部３３、４３、５３、６３は、鍵ユニットＫＵに当接して鍵ユニットＫＵの左右方向の位置を規制する役割も果たす。その際、鍵ユニットＫＵの縦リブの部分を、延設部３３、４３、５３、６３の各右側面に形成した鉤状部（図２、図３参照）に挟持させるように係合させる。これにより、基幹部材５０、６０を基準として、鍵ユニットＫＵや他の部品の位置の相対的な整合を図ることができる。それだけでなく、基幹部材５０、６０と鍵ユニットＫＵとが密着構造となり、下ケースＣＳ１の底板部１１（図２参照）から鍵への間接振動に加えて、音響発生体から鍵への心地よい振動も伝達されやすい構造となる。
【００４０】
図４（ａ）は、屋根板１２の前端部近傍の拡大断面図である。図４（ａ）に示すように、屋根板１２の前端部には、下方に垂下した前板部１３が固定される。前板部１３は、ほぼ全鍵盤幅に延設されている（図１参照）。前板部１３には、多数の放音穴１３ａが形成されている。鍵盤部ＫＢは、鍵フレームＫＦに、所定の鍵数毎に共通する共通基端部１７にて支持された黒鍵ＢＫ及び白鍵ＷＫを有する。前板部１３の下端部は、鍵盤部ＫＢの黒鍵ＢＫの鍵本体の後方であって、白鍵ＷＫの鍵本体後部の上方に位置する。
【００４１】
図２に示すように、響板式音響発生体９０の響板９２の左右の端部には、取り付け用のネジ穴９０ａが形成されている。響板９２の後面と響板取り付け片５９、６９の前面との間にはウレタンゴム等の緩衝材９３が介装される（図４（ａ）参照）。響板取り付け片５９、６９の締結用穴５９ｂ、６９ｂを通じて、緩衝材９３を介して不図示のネジがネジ穴９０ａに螺合されることで、締結用穴５９ｂ、６９ｂとネジ穴９０ａとが締結される。これにより、響板９２の左右の端部が響板取り付け片５９、６９に固定される。その結果、響板９２は、響板取り付け片５９、６９間に懸架状態で固定され、左右方向及び鉛直方向に平行に配設される。
【００４２】
響板９２の後面において、左右方向中央位置には、加振器９１が１つ配設される（図２、図４（ａ）参照）。単一の加振器９１が響板９２の「腹」に相当する中央位置に配設されるので、平面波の形成に有利である。加振器９１の取り付け方法については、ネジ止め、接着等、いずれでもよい。加振器９１の構造は、特開２００７−４７２７３号公報等に開示されているような公知のもので、電気信号（演奏信号乃至駆動信号）により自身が振動して、自身の重みによる反作用によって響板９２を振動させるものである。なお、加振器９１は、電気信号によって響板９２を加振して発音させることができる構造であれば、どのような構造であってもよい。
【００４３】
図２に示すように、基幹部材５０、６０のスピーカ固着部５６、６６の下面にスピーカ１６、１６が固着される。各スピーカ１６は、ネジ穴５７、６７を用いて下方からスピーカ固着部５６、６６にネジ止め固定される。スピーカ１６からの音響は、大穴５６ａ、６６ａ及び上ケースＣＳ２の放音部１４（図１参照）を通じて主に上方に放音される。一方、響板９２の振動は、音響となって、主に前板部１３の放音穴１３ａ（図４（ａ）参照）から前方に放音される。
【００４４】
それだけでなく、スピーカ１６の音響、響板９２の音響は、いずれも、基幹部材５０、６０を介して、下ケースＣＳ１の底板部１１（図２参照）に伝わると共に、上ケースＣＳ２の屋根板１２及び背面板部１８にも伝わり、共鳴して効率よく放音される。その結果、あたかも楽器筐体の全体が音響発生体であるかのように機能する。特に、基幹部材５０、６０が振動をよく伝達する部材でなるので、音響伝達効率がよい。
【００４５】
電子鍵盤楽器１０の組み付けは、概略、次のようにして行われる。まず、基幹部材５０、６０を、中間連結部材３０で連結する。その際、図３に示すように、基幹部材５０の上側側方延設部７３、下側側方延設部７１の各先端部を、中間連結部材３０の取付片３５の先端部の上方に位置させると共に、基幹部材６０の上側側方延設部８３、下側側方延設部８１の各先端部を、中間連結部材３０の取付片４５の先端部の上方に位置させる。
【００４６】
そして、上側側方延設部７３と取付片３５との前側、及び、下側側方延設部７１と取付片３５との前側から、それぞれ不図示の連結片をあてがう。そして、前方から連結片を介して不図示のネジをネジ穴７３ｂ、７１ｂとネジ穴３５ｃとに螺合することで、連結片を介して、上側側方延設部７３と取付片３５とを連結固定すると共に、下側側方延設部７１と取付片３５とを連結固定する。これと同様に、上側側方延設部８３と取付片４５、下側側方延設部８１と取付片４５とも、ネジ穴８３ｂ、８１ｂ、ネジ穴４５ｃを用いて、不図示の連結片を介して、連結固定する。これらにより、基幹部材５０、６０及び中間連結部材３０が一体化された固着機構となる。
【００４７】
なお、最終組み付け工程において、延設部７１、７３、８１、８３、取付片３５、４５の各先端部を、それぞれ背面板部１８に直接固着するようにしてもよい。
【００４８】
次に、響板９２に加振器９１を取り付けた響板式音響発生体９０を、響板取り付け片５９、６９間に架け渡すように固定する（図２、図４（ａ）参照）。次に、裏返した上ケースＣＳ２に、基幹部材５０、６０のスピーカ固着部５６、６６（図２）の上面側、及び中間連結部材３０の取付片３６、４６（図３）の上面側が当接するように、基幹部材５０、６０及び中間連結部材３０が一体化されたもの（固着機構）をセットする。それと共に、基幹部材５０、６０の取付片５５、６５の後面５５ｂ、６５ｂ、上側側方延設部７３、８３、下側側方延設部７１、８１の各後面（図２）、取付片３５、４５の後面３５ｂ、後面４５ｂ（図３）に、上ケースＣＳ２の背面板部１８を当接させる。
【００４９】
そして、上記固着機構に上ケースＣＳ２を固定する。上ケースＣＳ２の屋根板１２については、スピーカ固着部５６、６６のネジ穴５８、６８（図２）、及び取付片３６、４６のネジ穴３８、４８（図３）を用いて裏側からネジ止め固定される。上ケースＣＳ２の背面板部１８については、取付片５５、６５のネジ穴５５ａ、６５ａ（図２）、延設部７３、７１、８３、８１の各ネジ穴７３ａ、７１ａ、８３ａ、８１ａ（図２）、及び取付片３５、４５のネジ穴３５ａ、４５ａ（図３）を用いて内側からネジ止め固定される。
【００５０】
これらと前後して、２つのスピーカ１６を、スピーカ固着部５６、６６の裏面側に固定する。なお、下ケースＣＳ１にも背面板部１８を設けた場合は、下側に位置する延設部７１、８１のネジ穴７１ａ、８１ａ（図２）、取付片３５、４５のネジ穴３５ａ、４５ａ（図３）については、上ケースＣＳ２ではなく、下ケースＣＳ１の背面板部１８の固定用に用いるようにしてもよい。
【００５１】
一方、下ケースＣＳ１には鍵盤部ＫＢを配設しておき、上ケースＣＳ２に固着機構が固定されたものに対して、裏返し状態で下ケースＣＳ１をセットし、底板部１１（図２参照）を底面側から基幹部材５０、６０の固定用片５４、６４、及び中間連結部材３０の固定用片３４に対してネジ止め固定する。
【００５２】
このようにして、基幹部材５０、６０及び中間連結部材３０でなる固着機構を基準として、上ケースＣＳ２、下ケースＣＳ１、スピーカ１６、響板式音響発生体９０のすべてが固着され、互いに固定関係になる。それと共に、上ケースＣＳ２と下ケースＣＳ１との上下方向及び前後方向の位置も規制される。上ケースＣＳ２は、鍵盤部ＫＢの後方の領域を上方から覆う。スピーカ固着部５６、６６（及び響板取り付け片５９、６９）は、それぞれ、楽器筐体の右端部、左端部に対応する位置に位置する。
【００５３】
ところで、上ケースＣＳ２と下ケースＣＳ１との関係において、これらの周縁部は互いに当接係合させる必要はないが、緩衝材を介して当接係合させてもよい。響板９２は、基幹部材５０、６０の前端同士を連結するので、基幹部材５０、６０及び中間連結部材３０が一体化されたもの（固着機構）の補強を図る効果もある。
【００５４】
本実施の形態によれば、スピーカ１６、響板式音響発生体９０が固定される基幹部材５０、６０に、上ケースＣＳ２と下ケースＣＳ１とが固定され、スピーカ１６、響板式音響発生体９０から発した音響が、基幹部材５０、６０を介して上ケースＣＳ２と下ケースＣＳ１に伝わるので、音響効果が高い筐体構造を実現することができる。しかも、基幹部材５０、６０が、上ケースＣＳ２と下ケースＣＳ１との結合手段と、スピーカ１６、響板式音響発生体９０の固着手段とを兼ねるので、スピーカ１６、響板式音響発生体９０を設ける専用の部位を上ケースＣＳ２や下ケースＣＳ１に設けなくてもよく、構成や組み付け構造が簡単である。
【００５５】
また、響板９２は、左右の両端が響板取り付け片５９、６９間に懸架され、左右方向中間位置に加振器９１が配設されたので（図２）、響板９２を効率良く振動させて、音響効果を高めることができる。特に、前方に腕状に延設された上側延設部５２の前端部５２ａ、上側延設部６２の前端部６２ａに、響板９２を取り付けるための響板取り付け片５９、６９が位置するので、上側延設部５２、６２を介して主に微振動に関し響板９２が振動しやすい。しかも、響板取り付け片５９、６９が先細形状であり、響板取り付け片５９、６９の先端で響板９２が支持されることで、微振動に関し響板９２が一層振動しやすく、音響発生効率が高い。これらにより、響板９２に関する音響効果をより高めることができる。
【００５６】
ところで、本実施の形態では、響板９２は前板部１３に近接して鉛直方向に平行に配設したが（図４（ａ））、これに限られない。例えば、図４（ｂ）に示すように、前後方向に傾倒（後傾）させてもよい。この場合は、例えば、響板取り付け片５９、６９の切り起こしの方向を斜めとすればよい。
【００５７】
このような構成でも、響板９２から前板部１３の放音穴１３ａを通じた放音は確保される。一方、響板９２が斜めであることから、響板９２の振幅の方向も斜めとなって、上下方向の振動の成分が顕著に現れることになる。上側延設部５２、６２は、片持ち状態で前方に延設されていることから、上側延設部５２、６２を通じて上ケースＣＳ２と下ケースＣＳ１とに、上下方向の成分が伝わりやすい。これにより、響板９２からの前方への直接放音と楽器筐体を介しての放音とを効率的に両立させることができ、音響効果を高めることができる。なお、響板９２の傾きの方向は逆（前傾）でもよく、角度も問わない。
【００５８】
上記実施の形態において、中間連結部材３０は１個としたが、２個以上の互いに連結固定されたものであってもよい。あるいは、中間連結部材３０は、板状部３０ａ、４０ａのうちいずれか一方のみを有し、ブリッジ２０、２２や延設部２１、２３を廃止した構成であってもよい。あるいは、基幹部材５０、６０は一体に形成したものとして構成し、中間連結部材３０を廃止してもよい。
【００５９】
なお、下ケースＣＳ１は、鍵盤部ＫＢが配設される底板部１１を有するものであればよく、上ケースＣＳ２は、少なくとも鍵盤部ＫＢの後方の領域を上方から覆うものであればよい。従って、側板１５や背面板部１８は、下ケースＣＳ１の底板部１１から立設して下ケースＣＳ１の一部として構成してもよい。また、上ケースＣＳ２は、分離形成された複数の部材が一体化されたものであってもよい。その場合、分離構成の各部材が共に基幹部材５０、６０に固着されることによって一体化が実現される構成であってもよい。下ケースＣＳ１についても同様である。
【００６０】
なお、音響発生体としては、スピーカ１６、響板式音響発生体９０を例示したが、これらに限られない。また、いずれか１種類であってもよい。
【符号の説明】
【００６１】
ＫＢ  鍵盤部、  ＣＳ１  下ケース（第１筐体）、  ＣＳ２  上ケース（第２筐体）、  １１  底板部、  １２  屋根板、  １６  スピーカ（音響発生体）、  ３０  中間連結部材、  ５０、６０  基幹部材（固着用基幹部材）、  ５２、６２  上側延設部（腕部）、  ５２ａ、６２ａ  前端部、  ５４、６４  固定用片（第１筐体固着部）、  ５５、６５  取付片（第２筐体固着部）、  ５６、６６  スピーカ固着部（第２筐体固着部、音響発生体取り付け部）、  ５９、６９  響板取り付け片（取り付け片）、  ５９ａ  先端（音響発生体取り付け部、右側取り付け部）、  ６９ａ  先端（音響発生体取り付け部、左右側取り付け部）、  ９０  響板式音響発生体（音響発生体）、  ９１  加振器、  ９２  響板
【図１】
0005604826.tif 000002
【図２】
0005604826.tif 000003
【図３】
0005604826.tif 000004
【図４】
0005604826.tif 000005